【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
外科用装置の外面および遠位端に配置されたソケットに取り外し可能かつ電気的に結合されるように構成されたハウジングと、
前記ハウジング内に置かれた画像捕獲装置であって、前記画像捕獲装置は、画像センサを含み、前記画像センサは、前記ハウジングが前記外科用装置の前記ソケットに電気的に結合されるときに、画像化の間に、前記ハウジングの、そして、前記外科用装置の遠位端に配置され、前記画像センサは、前記ハウジングの前記遠位端において画像を受信し、前記受信した画像に対応する画像データを生成し、前記画像データを通信するように構成されており、前記画像捕獲装置は、画像化されるべき物体を照射するように構成されている光源をさらに含む、画像捕獲装置と、
前記ハウジング内に置かれた電源装置と、
を備える、外科用イメージング装置。
【請求項２】
前記ハウジングは、滑らせて前記外科用装置に結合されるように構成されている、請求項１に記載の外科用イメージング装置。
【請求項３】
前記ハウジングは、紐状部材を介して前記外科用装置に結合されるように構成されている、請求項１に記載の外科用イメージング装置。
【請求項４】
前記画像捕獲装置が生成した前記画像データは、静止画像データまたはビデオ・データのうちの１つを含む、請求項１に記載の外科用イメージング装置。
【請求項５】
前記画像捕獲装置はレンズを含む、請求項１に記載の外科用イメージング装置。
【請求項６】
回路装置をさらに備え、前記回路装置は、前記ハウジング内に配置され、かつ、前記画像データを少なくとも１つの遠隔装置に通信するように構成されており、前記回路装置は、処理装置、記憶装置、伝送装置およびユーザ入力装置のうちの少なくとも１つを備える、請求項１に記載の外科用イメージング装置。
【請求項７】
外面を有する外科用装置であって、前記外面は、前記外科用装置の遠位端に配置されている、外科用装置と、
前記外科用装置の前記外面および前記遠位端に配置されたソケットに取り外し可能かつ電気的に結合するように構成されたハウジングと前記ハウジング内に置かれた画像捕獲装置とを有する外科用イメージング装置であって、前記画像捕獲装置は、画像センサを介して前記ハウジングの遠位端において画像を受信し、前記受信した画像に対応する画像データを生成し、前記画像データを通信するように構成されており、前記画像捕獲装置は、光源を含み、前記光源は、前記ハウジングが前記外科用装置の前記ソケットに電気的に結合されるときに、画像化の間に、前記外科用装置の前記遠位端から光を生成するように構成されている、外科用イメージング装置と、
前記ハウジング内に置かれた電源装置と
を備える、外科用アタッチメント。
【請求項８】
前記ハウジングは、滑らせて前記外科用装置に結合されるように構成されている、請求項７に記載の外科用アタッチメント。
【請求項９】
前記ハウジングは、紐状部材を介して前記外科用装置に結合されるように構成されている、請求項７に記載の外科用アタッチメント。
【請求項１０】
前記画像捕獲装置が生成した前記画像データは、静止画像データまたはビデオ・データのうちの１つを含む、請求項７に記載の外科用アタッチメント。
【請求項１１】
前記画像捕獲装置はレンズを含む、請求項７に記載の外科用アタッチメント。
【請求項１２】
前記画像捕獲装置は、前記レンズを介して画像を捕獲する位置にある画像センサをさらに含む、請求項１１に記載の外科用アタッチメント。
【請求項１３】
前記外科用イメージング装置は、回路装置をさらに含み、前記回路装置は、前記ハウジング内に配置され、かつ、前記画像データを少なくとも１つの遠隔装置に通信するように構成されており、前記回路装置は、処理装置、記憶装置、伝送装置およびユーザ入力装置のうちの少なくとも１つを備える、請求項７に記載の外科用アタッチメント。
【請求項１４】
電気機械駆動装置と、
外科用アタッチメントと
を備える外科用システムであって、
前記外科用アタッチメントは、
外科用装置であって、前記外科用装置の遠位端に配置された外面を有する外科用装置と、
外科用イメージング装置であって、前記外科用イメージング装置は、前記外科用装置の外面および遠位端におけるソケットに取り外し可能かつ電気的に結合されるように構成されたハウジングと、前記ハウジング内に置かれた画像捕獲装置と前記ハウジング内に置かれた電源装置とを有し、前記画像捕獲装置は、画像センサを介して前記ハウジングの遠位端において画像を受信し、前記受信した画像に対応する画像データを生成し、前記画像データを通信するように構成されており、前記画像捕獲装置は、電源を含み、前記電源は、前記ハウジングが前記外科用装置の前記ソケットに電気的に結合されるときに、画像化の間に、前記外科用装置の前記遠位端に配置される、外科用イメージング装置と
を含む、外科用システム。
【請求項１５】
前記ハウジングは、滑らせて前記外科用装置に結合されるように構成されている、請求項１４に記載の外科用システム。
【請求項１６】
前記ハウジングは、紐状部材を介して前記外科用装置に結合されるように構成されている、請求項１４に記載の外科用システム。
【請求項１７】
前記画像捕獲装置が生成した前記画像データは、静止画像データまたはビデオ・データのうちの１つを含む、請求項１４に記載の外科用システム。
【請求項１８】
前記画像捕獲装置はレンズを含む、請求項１４に記載の外科用システム。
【請求項１９】
前記画像捕獲装置は、前記レンズを介して画像を捕獲する位置にある画像センサをさらに含む、請求項１８に記載の外科用システム。
【請求項２０】
前記画像捕獲装置は、画像化されるべき物体を照射するように構成された光源をさらに含む、請求項１９に記載の外科用システム。
【請求項２１】
回路装置をさらに備え、前記回路装置は、前記ハウジング内に配置され、かつ、前記画像データを少なくとも１つの遠隔装置に通信するように構成されており、前記回路装置は、処理装置、記憶装置、伝送装置およびユーザ入力装置のうちの少なくとも１つを備える、請求項１４に記載の外科用システム。
【請求項２２】
外科用イメージング装置の利用方法および再利用方法であって、
前記外科用イメージング装置は、少なくとも２つの画像センサと、光を生成する光源と、ハウジング内に置かれた電源装置とを含み、前記少なくとも２つの画像センサは、前記ハウジングの遠位端において画像を受信し、前記受信した画像に対応する画像データを生成し、前記画像データを通信するように構成されており、
前記方法は、
前記外科用イメージング装置を第１の外科用装置の遠位端に配置されたソケットに取り外し可能かつ電気的に結合するステップと、
前記外科用イメージング装置を前記第１の外科用装置のソケットから取り外し、かつ、電気的に分離するステップと、
前記外科用イメージング装置を第２の外科用装置の遠位端に配置されたソケットに取り外し可能かつ電気的に結合するステップであって、前記少なくとも２つの画像センサと、前記光源と、前記電源とは、前記少なくとも２つの画像センサと、前記光源と、前記電源とが、前記第２の外科用装置に電気的に結合されるときに、前記第２の外科用装置の動作の間に、前記外科用イメージング装置の、そして、前記第２の外科用装置の遠位端に配置される、ステップと
を包含する、方法。
【請求項２３】
前記外科用イメージング装置を前記第１および第２の外科用装置に取り外し可能に結合する各ステップは、前記外科用イメージング装置を滑らせて前記第１および第２の外科用装置のそれぞれに結合するステップを含む、請求項２２に記載の方法。
【請求項２４】
前記外科用イメージング装置を前記第１および第２の外科用装置に取り外し可能に結合する各ステップは、前記外科用イメージング装置を紐状部材を介して前記第１および第２の外科用装置のそれぞれに結合するステップを含む、請求項２２に記載の方法。